【事件の表示】
　特願２００１−３０９３３５「ラテン方体の作成方法及び作成装置」拒絶査定不服審判事件〔平成１５年　４月１８日出願公開、特開２００３−１１４６１９〕について、次のとおり審決する。
【結　論】
　本件審判の請求は、成り立たない。
【理　由】
１．手続の経緯
　本願は、平成１３年１０月５日の出願であって、平成１７年６月２日付けで拒絶の理由が通知され、同年７月２８日付けで手続補正がなされたものの、同年８月１６日付けで拒絶の査定がなされた。その後、同年９月１３日に拒絶査定不服審判請求がなされ、同年１０月１２日付けで手続補正がなされたものである。
   
２．平成１７年１０月１２日付け手続補正についての補正却下の決定
　
［補正却下の決定の結論］
平成１７年１０月１２日付けの手続補正を却下する。
　
［理由］
（１）補正内容
　上記平成１７年１０月１２日付け手続補正により、特許請求の範囲は、
　
「【請求項１】
　Ｘ軸（縦）方向、Ｙ軸（横）方向及びＺ軸（奥行き）方向にそれぞれｎ個ずつ計ｎ3個の要素を持つ立方体の各要素に、互いに異なるｎ個の記号が前記Ｘ軸、Ｙ軸及びＺ軸の各方向で同じ記号が１度ずつ現われるように配置された、次数ｎのラテン方体を作成する作成方法において、
　前記次数ｎ分の記号を順列及び該順列に従った選択順を定めて設定すると共に、前記Ｙ軸とＺ軸に沿った前記Ｘ軸方向の面、前記Ｚ軸とＸ軸に沿った前記Ｙ軸方向の面、及び前記Ｘ軸とＹ軸に沿った前記Ｚ軸方向の面のいずれか一つの面を変換基準面として定めて設定し、かつ、所望の既存のｎ次のラテン方体を記憶用配列に設定する第１のステップと、
　前記変換基準面上の要素の位置の順番を入れ替える入替情報Ｐをｎ個の順番を示す値Ｐ（１）〜Ｐ（ｎ）として設定する第２のステップと、
　前記第２のステップで設定された入替情報Ｐによって、前記ラテン方体記憶用配列に格納されている既存のｎ次のラテン方体の各要素を、前記第１のステップで設定された選択順で、かつ、前記変換基準面上で選択し、選択した要素の記号を読み出し、面毎にｎ×ｎのすべての要素を入れ替える第３のステップと
　を含み、前記第３のステップは、前記既存のｎ次のラテン方体の前記Ｘ軸の位置Ｉ、前記Ｙ軸の位置Ｊ及び前記Ｚ軸の位置Ｋにおける要素を、前記第１のステップで設定された選択順で、かつ、前記変換基準面上で選択した要素としたとき、その選択した要素の記号Ｒ’（Ｉ，Ｊ，Ｋ）を前記既存のｎ次のラテン方体から読み出し、その読み出した記号Ｒ’（Ｉ，Ｊ，Ｋ）を、作成する新たなｎ次ラテン方体のＸ軸の位置Ｐ（Ｉ）、Ｙ軸の位置Ｊ及びＺ軸の位置Ｋにおける要素Ｒ（Ｐ（Ｉ），Ｊ，Ｋ）、又は前記作成する新たなｎ次ラテン方体のＸ軸の位置Ｉ、Ｙ軸の位置Ｐ（Ｊ）及びＺ軸の位置Ｋにおける要素Ｒ（Ｉ，Ｐ（Ｊ），Ｋ）、又は前記作成する新たなｎ次ラテン方体のＸ軸の位置Ｉ、Ｙ軸の位置Ｊ及びＺ軸の位置Ｐ（Ｋ）における要素Ｒ（Ｉ，Ｊ，Ｐ（Ｋ））とすることにより、前記既存のｎ次のラテン方体のすべての要素を入れ替えて前記新たなｎ次のラテン方体を作成することを特徴とするラテン方体の作成方法。
【請求項２】
　前記第１乃至第３のステップを複数回繰り返して新たなラテン方体の作成を複数回行うと共に、新たなラテン方体の作成の度に前記変換基準面を変更することを特徴とする請求項１記載のラテン方体の作成方法。
【請求項３】
　作成するラテン方体の次数ｎと記号とを設定し、該ラテン方体の各位置に前記記号の一つを配列要素として選択決定する際に、その選択決定を、前記Ｘ軸あるいはＹ軸あるいはＺ軸に沿って最後の位置まで順に行うと共に、各位置毎に、同一Ｘ軸及びＹ軸及びＺ軸の前の位置の既に決定されている配列要素と同一記号とならないように、記号を選択順に選択して最初の一つ目のラテン方体を作成する第４のステップを更に有し、前記第４のステップにより作成されたラテン方体を、前記第１のステップで前記記憶用配列に設定する前記既存のｎ次のラテン方体とすることを特徴とする請求項１又は２記載のラテン方体の作成方法。
【請求項４】
　前記第４のステップ又は前記第１乃至第３のステップにより作成された一つ目のラテン方体の最後に選択決定された位置から、前記Ｘ軸及びＹ軸及びＺ軸に沿って、既存の配列要素の記号よりも選択順位が下位である記号を選択できる位置まで順に戻り、その位置から前記Ｘ軸あるいはＹ軸あるいはＺ軸に沿って最後の位置まで、各位置毎に同一Ｘ軸及びＹ軸及びＺ軸の前の位置の既に決定されている配列要素と同一記号とならないように、順に配列要素の記号を選択決定して２つ目以降のラテン方体を作成する第５のステップを更に有し、前記第５のステップにより作成されたラテン方体を、前記第１のステップで前記記憶用配列に設定する前記既存のｎ次のラテン方体とすることを特徴とする請求項３記載のラテン方体の作成方法。
【請求項５】
　Ｘ軸（縦）方向、Ｙ軸（横）方向及びＺ軸（奥行き）方向にそれぞれｎ個ずつ計ｎ3個の要素を持つ立方体の各要素に相当するｎ3個の記憶素子を有し、該記憶素子のそれぞれには互いに異なるｎ個の記号が前記Ｘ軸、Ｙ軸及びＺ軸の各方向で同じ記号が１度ずつ現われるように格納されて、所望の既存の次数ｎのラテン方体を格納するラテン方体記憶用配列と、
　前記次数ｎ分の記号を順列及び該順列に従った選択順を定めて設定すると共に、前記Ｙ軸とＺ軸に沿った前記Ｘ軸方向の面、前記Ｚ軸とＸ軸に沿った前記Ｙ軸方向の面、及び前記Ｘ軸とＹ軸に沿った前記Ｚ軸方向の面のいずれか一つの面を変換基準面として定めて設定する設定手段と、
　ｎ個の順番を示す値Ｐ（１）〜Ｐ（ｎ）が前記変換基準面上の要素の位置の順番を入れ替える入替情報として書き込まれ、書き込まれた前記入れ替え情報が読み出される入替情報記憶部と、
　Ｘ軸（縦）方向、Ｙ軸（横）方向及びＺ軸（奥行き）方向にそれぞれｎ個ずつ計ｎ3個の要素を持つ立方体の各要素に相当するｎ3個の記憶素子を有し、該記憶素子のそれぞれには互いに異なるｎ個の記号が前記Ｘ軸、Ｙ軸及びＺ軸の各方向で同じ記号が１度ずつ現われるように格納されて、次数ｎの新たなラテン方体を格納するラテン方体入替用配列と、
　前記入替情報によって、前記ラテン方体記憶用配列に格納されている既存のｎ次のラテン方体の各要素を、前記設定手段で設定された選択順で、かつ、前記変換基準面上で選択し、選択した要素の記号を読み出して前記ラテン方体入替用配列に格納することを繰り返して、面毎にｎ×ｎのすべての要素を入れ替える演算手段と
　を有し、前記演算手段により、前記既存のｎ次のラテン方体の前記Ｘ軸の位置Ｉ、前記Ｙ軸の位置Ｊ及び前記Ｚ軸の位置Ｋにおける要素を、前記設定手段で設定された選択順で、かつ、前記変換基準面上で選択した要素としたとき、その選択した要素の記号Ｒ’（Ｉ，Ｊ，Ｋ）を前記既存のｎ次のラテン方体から読み出し、その読み出した記号Ｒ’（Ｉ，Ｊ，Ｋ）を、前記ラテン方体入替用配列のＸ軸の位置Ｐ（Ｉ）、Ｙ軸の位置Ｊ及びＺ軸の位置Ｋにおける要素Ｒ（Ｐ（Ｉ），Ｊ，Ｋ）、又はＸ軸の位置Ｉ、Ｙ軸の位置Ｐ（Ｊ）及びＺ軸の位置Ｋにおける要素Ｒ（Ｉ，Ｐ（Ｊ），Ｋ）、又はＸ軸の位置Ｉ、Ｙ軸の位置Ｊ及びＺ軸の位置Ｐ（Ｋ）における要素Ｒ（Ｉ，Ｊ，Ｐ（Ｋ））とすることにより、前記ラテン方体入替用配列に新たに作成したラテン方体を格納することを特徴とするラテン方体作成装置。」
　
から、
　
「【請求項１】
　Ｘ軸（縦）方向、Ｙ軸（横）方向及びＺ軸（奥行き）方向にそれぞれｎ個ずつ計ｎ3個の要素を持つ立方体の各要素に、互いに異なるｎ個の記号が前記Ｘ軸、Ｙ軸及びＺ軸の各方向で同じ記号が１度ずつ現われるように配置される所望の既存のｎ次のラテン方体が記憶された記憶用配列に、新たな別のｎ次のラテン方体を、コンピュータを用いて更新記憶させるラテン方体作成用プログラムであって、
　前記コンピュータに、
　前記次数ｎ分の記号を順列及び該順列に従った選択順を定めて設定すると共に、前記Ｙ軸とＺ軸に沿った前記Ｘ軸方向の面、前記Ｚ軸とＸ軸に沿った前記Ｙ軸方向の面、及び前記Ｘ軸とＹ軸に沿った前記Ｚ軸方向の面のいずれか一つの面を変換基準面として定めて設定する第１の機能と、
　前記変換基準面上の要素の位置の順番を入れ替える入替情報Ｐをｎ個の順番を示す値Ｐ（１）〜Ｐ（ｎ）として設定する第２の機能と、
　前記第２の機能で設定された入替情報Ｐによって、前記記憶用配列に格納されている前記既存のｎ次のラテン方体の各要素を、前記第１の機能で設定された選択順で、かつ、前記変換基準面上で選択し、選択した要素の記号を読み出し、面毎にｎ×ｎのすべての要素を入れ替える第３の機能と
　を実現させ、
　前記第３の機能は、前記既存のｎ次のラテン方体の前記Ｘ軸の位置Ｉ、前記Ｙ軸の位置Ｊ及び前記Ｚ軸の位置Ｋにおける要素を、前記第１の機能で設定された選択順で、かつ、前記変換基準面上で選択した要素としたとき、その選択した要素の記号Ｒ’（Ｉ，Ｊ，Ｋ）を前記既存のｎ次のラテン方体から読み出し、その読み出した記号Ｒ’（Ｉ，Ｊ，Ｋ）を、作成する新たなｎ次ラテン方体のＸ軸の位置Ｐ（Ｉ）、Ｙ軸の位置Ｊ及びＺ軸の位置Ｋにおける要素Ｒ（Ｐ（Ｉ），Ｊ，Ｋ）、又は前記作成する新たなｎ次ラテン方体のＸ軸の位置Ｉ、Ｙ軸の位置Ｐ（Ｊ）及びＺ軸の位置Ｋにおける要素Ｒ（Ｉ，Ｐ（Ｊ），Ｋ）、又は前記作成する新たなｎ次ラテン方体のＸ軸の位置Ｉ、Ｙ軸の位置Ｊ及びＺ軸の位置Ｐ（Ｋ）における要素Ｒ（Ｉ，Ｊ，Ｐ（Ｋ））とすることにより、前記既存のｎ次のラテン方体のすべての要素を入れ替えて前記新たなｎ次のラテン方体を作成することを特徴とするラテン方体作成用プログラム。
【請求項２】
　Ｘ軸（縦）方向、Ｙ軸（横）方向及びＺ軸（奥行き）方向にそれぞれｎ個ずつ計ｎ3個の要素を持つ立方体の各要素に相当するｎ3個の記憶素子を有し、該記憶素子のそれぞれには互いに異なるｎ個の記号が前記Ｘ軸、Ｙ軸及びＺ軸の各方向で同じ記号が１度ずつ現われるように格納されて、所望の既存の次数ｎのラテン方体を格納するラテン方体記憶用配列と、
　前記次数ｎ分の記号を順列及び該順列に従った選択順を定めて設定すると共に、前記Ｙ軸とＺ軸に沿った前記Ｘ軸方向の面、前記Ｚ軸とＸ軸に沿った前記Ｙ軸方向の面、及び前記Ｘ軸とＹ軸に沿った前記Ｚ軸方向の面のいずれか一つの面を変換基準面として定めて設定する設定手段と、
　ｎ個の順番を示す値Ｐ（１）〜Ｐ（ｎ）が前記変換基準面上の要素の位置の順番を入れ替える入替情報として書き込まれ、書き込まれた前記入れ替え情報が読み出される入替情報記憶部と、
　Ｘ軸（縦）方向、Ｙ軸（横）方向及びＺ軸（奥行き）方向にそれぞれｎ個ずつ計ｎ3個の要素を持つ立方体の各要素に相当するｎ3個の記憶素子を有し、該記憶素子のそれぞれには互いに異なるｎ個の記号が前記Ｘ軸、Ｙ軸及びＺ軸の各方向で同じ記号が１度ずつ現われるように格納されて、次数ｎの新たなラテン方体を格納するラテン方体入替用配列と、
　前記入替情報によって、前記ラテン方体記憶用配列に格納されている既存のｎ次のラテン方体の各要素を、前記設定手段で設定された選択順で、かつ、前記変換基準面上で選択し、選択した要素の記号を読み出して前記ラテン方体入替用配列に格納することを繰り返して、面毎にｎ×ｎのすべての要素を入れ替える演算手段と
　を有し、前記演算手段により、前記既存のｎ次のラテン方体の前記Ｘ軸の位置Ｉ、前記Ｙ軸の位置Ｊ及び前記Ｚ軸の位置Ｋにおける要素を、前記設定手段で設定された選択順で、かつ、前記変換基準面上で選択した要素としたとき、その選択した要素の記号Ｒ’（Ｉ，Ｊ，Ｋ）を前記既存のｎ次のラテン方体から読み出し、その読み出した記号Ｒ’（Ｉ，Ｊ，Ｋ）を、前記ラテン方体入替用配列のＸ軸の位置Ｐ（Ｉ）、Ｙ軸の位置Ｊ及びＺ軸の位置Ｋにおける要素Ｒ（Ｐ（Ｉ），Ｊ，Ｋ）、又はＸ軸の位置Ｉ、Ｙ軸の位置Ｐ（Ｊ）及びＺ軸の位置Ｋにおける要素Ｒ（Ｉ，Ｐ（Ｊ），Ｋ）、又はＸ軸の位置Ｉ、Ｙ軸の位置Ｊ及びＺ軸の位置Ｐ（Ｋ）における要素Ｒ（Ｉ，Ｊ，Ｐ（Ｋ））とすることにより、前記ラテン方体入替用配列に新たに作成したラテン方体を格納することを特徴とするラテン方体作成装置。」
　
と補正された。
　
（２）補正の是非についての検討 
　本件手続補正は、特許法第１７条の２第１項第３号の規定による補正であって、少なくとも、同条第４項第１号ないし第４号に掲げる請求項の削除、特許請求の範囲の減縮、誤記の訂正、又は明りょうでない記載の釈明のいずれかの事項を目的とするものでなければならないから、以下、これについて検討する。 
 　
（ア）請求項の削除について 
　補正前の請求項１，５については、それぞれ、補正後の請求項１，２が対応し、補正前の請求項２−４については請求項の削除に該当する。
 　 
（イ）特許請求の範囲の減縮について 
　補正前の請求項１に係る発明は、既存のラテン方体から別のラテン方体を作成する方法の発明であるのに対し、補正後の請求項１に係る発明は、既存のラテン方体から別のラテン方体を作成するためのコンピュータプログラムの発明である。そして、プログラムは方法発明の各ステップを実現するための主体となるものであり、その実施の形態としては「物」の発明に属するものであるから、補正後の発明は補正前の発明のカテゴリーを変更するものであり、特許請求の範囲の減縮に該当しない。
 　
（ウ）誤記の訂正、明りょうでない記載の釈明について 
　上記補正は、誤記の訂正ではなく、また、明りょうでない記載の釈明（拒絶理由通知に係る拒絶の理由に示す事項についてするものに限る。）に該当するものでもない。 
 　 
　以上検討したとおり、本件手続補正のうち、請求項１についてする補正は、特許法第１７条の２第４項各号に掲げる事項のいずれも目的とするものではない。 
 　 
（３）　結び 
　以上のとおりであって、本件手続補正は、特許法第１７条の２第４項の規定に違反しているものであるから、特許法第１５９条第１項において準用する同法第５３条第１項の規定により却下すべきものである。 
　よって、結論のとおり決定する。 
　
３．補正却下の決定を踏まえた検討
　
（１）本願の請求項１に係る発明
　平成１７年１０月１２日付けの手続補正は、上記のとおり却下されたので、本願の請求項１に係る発明（以下、「本願発明」という。）は、平成１７年７月２８日付け手続補正書の特許請求の範囲の請求項１に記載されたとおりの次のものと認める。
　
　「【請求項１】
　Ｘ軸（縦）方向、Ｙ軸（横）方向及びＺ軸（奥行き）方向にそれぞれｎ個ずつ計ｎ3個の要素を持つ立方体の各要素に、互いに異なるｎ個の記号が前記Ｘ軸、Ｙ軸及びＺ軸の各方向で同じ記号が１度ずつ現われるように配置された、次数ｎのラテン方体を作成する作成方法において、
　前記次数ｎ分の記号を順列及び該順列に従った選択順を定めて設定すると共に、前記Ｙ軸とＺ軸に沿った前記Ｘ軸方向の面、前記Ｚ軸とＸ軸に沿った前記Ｙ軸方向の面、及び前記Ｘ軸とＹ軸に沿った前記Ｚ軸方向の面のいずれか一つの面を変換基準面として定めて設定し、かつ、所望の既存のｎ次のラテン方体を記憶用配列に設定する第１のステップと、
　前記変換基準面上の要素の位置の順番を入れ替える入替情報Ｐをｎ個の順番を示す値Ｐ（１）〜Ｐ（ｎ）として設定する第２のステップと、
　前記第２のステップで設定された入替情報Ｐによって、前記ラテン方体記憶用配列に格納されている既存のｎ次のラテン方体の各要素を、前記第１のステップで設定された選択順で、かつ、前記変換基準面上で選択し、選択した要素の記号を読み出し、面毎にｎ×ｎのすべての要素を入れ替える第３のステップと
　を含み、前記第３のステップは、前記既存のｎ次のラテン方体の前記Ｘ軸の位置Ｉ、前記Ｙ軸の位置Ｊ及び前記Ｚ軸の位置Ｋにおける要素を、前記第１のステップで設定された選択順で、かつ、前記変換基準面上で選択した要素としたとき、その選択した要素の記号Ｒ’（Ｉ，Ｊ，Ｋ）を前記既存のｎ次のラテン方体から読み出し、その読み出した記号Ｒ’（Ｉ，Ｊ，Ｋ）を、作成する新たなｎ次ラテン方体のＸ軸の位置Ｐ（Ｉ）、Ｙ軸の位置Ｊ及びＺ軸の位置Ｋにおける要素Ｒ（Ｐ（Ｉ），Ｊ，Ｋ）、又は前記作成する新たなｎ次ラテン方体のＸ軸の位置Ｉ、Ｙ軸の位置Ｐ（Ｊ）及びＺ軸の位置Ｋにおける要素Ｒ（Ｉ，Ｐ（Ｊ），Ｋ）、又は前記作成する新たなｎ次ラテン方体のＸ軸の位置Ｉ、Ｙ軸の位置Ｊ及びＺ軸の位置Ｐ（Ｋ）における要素Ｒ（Ｉ，Ｊ，Ｐ（Ｋ））とすることにより、前記既存のｎ次のラテン方体のすべての要素を入れ替えて前記新たなｎ次のラテン方体を作成することを特徴とするラテン方体の作成方法。」
　
（２）引用文献
　原査定の拒絶の理由に引用された特開２０００−２８５１０１号公報（以下、「引用文献１」という。）には、図面と共に以下の事項が記載されている。
　
Ａ．「【特許請求の範囲】
・・・・・・・・・・・・・・・・・・・・・・・・・・・・・
【請求項５】  ラテン方陣を３次元（縦方向をＸ軸、横方向をＹ軸、奥行き方向をＺ軸とする）に配置した作成しようとするラテン方体(R) の次数(n) を設定すると共に、該次数(n) 分の記号(m) を順列および該順列に従った選択順を定めて設定する制御部(1) と、該制御部(1) に設定した次数(n) に対応してラテン方体記憶用配列(12)の各位置(AIJK ) を設定するラテン方体作成部(2) と、を有し、前記制御部(1) に対する次数(n) の設定と、前記記号(m) の順列および該順列に従った選択順の設定を、前記ラテン方体記憶用配列(12)に対する既存のラテン方体の設定により達成し、前記制御部(1) に予め記憶させた制御プログラムに従って、前記ラテン方体記憶用配列(12)のＸ軸(I) およびＹ軸(J) およびＺ軸(K) の最後の位置(Annn ) から、前記Ｘ軸(I) およびＹ軸(J) およびＺ軸(K) に沿って、既存の配列要素(EIJK ) の記号(m) よりも選択順が下位である記号(m)を選択できる位置(AIJK ) まで順に戻り、該位置(AIJK ) から前記Ｘ軸(I) あるいはＹ軸(J) あるいはＺ軸(K) に沿って前記最後の位置(Annn ) まで、各位置(AIJK ) 毎に同一Ｘ軸(I) およびＹ軸  (J) およびＺ軸(K) の前の位置(AIJK )の既に決定されている配列要素(EIJK ) と同一記号(m) とならないように、順に配列要素(EIJK ) の記号(m) を選択決定するラテン方体の作成方法。」
　
Ｂ． 「【０００１】
【発明が属する技術分野】本発明は、暗号通信に使用される変換表とか、実験計画法、統計学における同一性を持たない組合せの設定等に利用されるラテン方体の作成方法に関するものである。
【０００２】
【従来の技術】本発明の説明のために、ラテン方体の基本的性質を説明する。ｎ個の記号から成る集合Ａ＝｛ａ1 ，・・・，ａn ｝の各元をｎ回ずつ使って、合計ｎ3 個を３つの方向（Ｘ軸（縦）方向、Ｙ軸（横）方向、Ｚ軸（奥行き）方向）にそれぞれｎ個の要素を持つ立方体に配列し、各方向において、Ａの各元が１度づつ現れるもの、すなわち互いの同じ位置に同じ値を持たないｎ次ラテン方陣をｎ個重ね合わせたものをＡ上のラテン方体、あるいはｎ次ラテン方体と云う。
【０００３】１次のラテン方体は、
Ａ＝｛０｝
ａ（０，０，０）＝０
とすると、２次元表示では、図１に示すようになり、３次元座標で表示すると、図２に示すようになる。
【０００４】次に、２次のラテン方体の基本形を示す。
Ａ＝｛０，１｝
ａ（０，０，０）＝０、  ａ（０，１，０）＝１
ａ（１，０，０）＝１、  ａ（１，１，０）＝０
ａ（０，０，１）＝１、  ａ（０，１，１）＝０
ａ（１，０，１）＝０、  ａ（１，１，１）＝１
とすると、２次元表示では、図３に示すようになり、この二つの表（Ｚ＝０とＺ＝１）を重ねて、３次元座標で表示すると、図４に示すようになる。
【０００５】３次のラテン方体の標準形の一例を２次元表示すると図５に示すようになり、この図５における（・）の要素の値は、ラテン方体を形成する任意の値が設定されているものであり、この図５のラテン方体は、Ｘ軸、Ｙ軸、Ｚ軸に沿った並びの配列要素の値のいずれも０〜２の昇順（自然順列）になっているので、標準形（既約形）である。
【０００６】標準形のラテン方体の個数は公に示されてはいないが、Ｌ３（ｎ）として表すと、ｎ次ラテン方体の総数は、ｎ！・（ｎ−１）！・（ｎ−１）！・Ｌ３（ｎ）で表すことができ、Ｌ３（ｎ）の値はｎが５以下のときでは、
Ｌ３（１）＝１
Ｌ３（２）＝１
Ｌ３（３）＝１
Ｌ３（４）＝６４
Ｌ３（５）＝４０２４６
で、各次数におけるラテン方体の総数は、１次＝１、２次＝２、３次＝２４、４次＝５５２９６、５次＝２７８１８０３５２０となる。 」
　
Ｃ．「【００４３】図１８は、請求項５ないし７記載の発明の実施例のフローチャートの一例を示すもので、ステップＴ１は、ラテン方体記憶用配列１２に新しく作成を行おうとするものと等しい次数ｎの同一の記号ｍの既存のラテン方体を記憶させることにより、制御部１に次数ｎ、記号ｍ、記号ｍの順列と選択順｛０，１，・・・ｎ−１｝を指定すると共に、Ｘ軸位置指定部３を最後の位置の値ｎに、Ｙ軸位置指定部４を最後の位置の値ｎに、そしてＺ軸位置指定部５を最後の位置の値ｎに設定する。
【００４４】ステップＴ２は、ラテン方体記憶用配列１２の位置ＡIJK の配列要素ＥIJK の値をラテン方体Ｒの記号ｍの次の順序に設定し、ステップＴ３は、ラテン方体記憶用配列１２の位置ＡIJK の配列要素ＥIJK の値が最後の値（ｎ−１）を越えなければ、ステップＴ１０へ行き、最後の値（ｎ−１）を越えたなら置くものがないのでステップＴ４に進む。
【００４５】ステップＴ４は、設定用データ記憶部９に値０を設定することで、ラテン方体記憶用配列１２の位置ＡIJK の配列要素ＥIJK の値を最初の値０に設定し、ステップＴ５は、Ｚ軸位置指定部５を一つ前の位置に設定し、ステップＴ６は、Ｚ軸位置指定部５が先頭１より前でない場合にステップＴ２へ行く。
【００４６】ステップＴ７は、Ｙ軸位置指定部４を一つ前の位置に設定すると共に、Ｚ軸位置指定部５の位置を最後ｎにし、ステップＴ８は、Ｙ軸位置指定部４が先頭１より前でない場合にステップＴ２へ行く。
【００４７】ステップＴ９は、Ｘ軸位置指定部３を一つ前の位置に設定すると共に、Ｙ軸位置指定部４を最後ｎの位置に設定し、ステップＴ２へ行く。
【００４８】ステップＴ１０は、Ｘ軸位置指定部３の位置が先頭１なら、Ｘ軸Ｉの同じ並びにはそれ以前の比較する配列要素ＥIJK が存在しないので、ステップＴ１２へ行き、ステップＴ１１は、配列要素ＥIJK の値に対し、Ｘ軸Ｉの同じ並びの、それ以前の位置ＡIJK の配列要素ＥIJK を示すように、Ｙ軸位置比較部７にＹ軸位置指定部４の値を設定してＺ軸位置比較部８にＺ軸位置指定部５の値を指定し、Ｘ軸位置比較部６の値を１からＸ軸位置指定部３の位置の示す１つ前の値まで順に変化させて、その示す比較用データ記憶部１０の値と設定用データ記憶部９の値をデータ比較部１１により比較し、一致するものがある場合には、ステップＴ２へ行く。
【００４９】ステップＴ１２は、Ｙ軸位置指定部４の位置が先頭１なら、Ｙ軸Ｊの同じ並びに、それ以前の比較する配列要素ＥIJK が存在しないので、ステップＴ１４へ行き、ステップＴ１３は、配列要素ＥIJK の値に対し、Ｙ軸Ｊの同じ並びの、それ以前の位置ＡIJK の配列要素ＥIJK を示すように、Ｘ軸位置比較部６にＸ軸位置指定部３の値を設定してＺ軸位置比較部８にＺ軸位置指定部５の値を設定し、Ｙ軸位置比較部７の値を１からＹ軸位置指定部４の位置の示す１つ前の値まで順に変化させて、その示す比較用データ記憶部１０の値と設定用データ記憶部９の値をデータ比較部１１により比較し、一致するものがある場合には、ステップＴ２へ行く。
【００５０】ステップＴ１４は、Ｚ軸位置指定部５の位置が先頭１なら、Ｚ軸Ｋの同じ並びに、それ以前の比較する配列要素ＥIJK が存在しないので、ステップＴ１６へ行き、ステップＴ１５は、配列要素ＥIJK の値に対し、Ｚ軸Ｋの同じ並びの、それ以前の位置ＡIJK の配列要素ＥIJK を示すように、Ｘ軸位置比較部６にＸ軸位置指定部３の値を設定してＹ軸位置比較部７にＹ軸位置指定部４の値を設定し、Ｚ軸位置比較部８の値を１からＺ軸位置指定部５の位置の示す１つ前の値まで順に変化させて、その示す比較用データ記憶部１０の値と設定用データ記憶部９の値をデータ比較部１１により比較し、一致するものがある場合には、ステップＴ２へ行く。
【００５１】ステップＴ１６は、Ｚ軸位置指定部５の位置を一つ次の位置に設定し、ステップＴ１７は、Ｚ軸位置指定部５の位置は最後の位置ＡIJK を越えたかどうか、越えていない場合はステップＴ１９へ行く。
【００５２】ステップＴ１８は、Ｙ軸位置指定部４を一つ次の位置に設定すると共に、Ｚ軸位置指定部５を先頭１の位置に設定し、ステップＴ１９では、Ｙ軸位置指定部４は最後の位置ＡIJK を越えたかどうか、越えていない場合はステップＴ２１へ行く。
【００５３】ステップＴ２０は、Ｘ軸位置指定部３を一つ次の位置に設定すると共に、Ｙ軸位置指定部４を先頭１の位置に設定し、ステップＴ２１は、Ｘ軸位置指定部３は最後の位置ＡIJK を越えたかどうか、越えていない場合はステップＴ１０へ行くが、最後の位置ＡIJK より後の場合はステップＴ２２に進んで作成を完了する。」
　
　上記Ｂには、次数ｎのラテン方体とは、ｎ個の記号から成る集合Ａ＝｛ａ1 ，・・・，ａn ｝の各元をｎ回ずつ使って、合計ｎ3 個を３つの方向（Ｘ軸（縦）方向、Ｙ軸（横）方向、Ｚ軸（奥行き）方向）にそれぞれｎ個の要素を持つ立方体に配列し、各方向において、Ａの各元が１度づつ現れるものと説明されている。
　
　上記Ａ，Ｃの記載によれば、ラテン方体記憶用配列に格納される既存のラテン方体から新たなラテン方体を作成する手法として、ラテン方体記憶配列の最後の位置から、既存の配列要素の記号よりも下位である記号を選択できる位置まで戻り、選択決定をやり直す手法が記載されている。
　
　以上の記載から、引用文献１には次の発明（以下、「引用発明１」という。）が記載されている。
　
　Ｘ軸（縦）方向、Ｙ軸（横）方向及びＺ軸（奥行き）方向にそれぞれｎ個ずつ計ｎ3個の要素を持つ立方体の各要素に、互いに異なるｎ個の記号が前記Ｘ軸、Ｙ軸及びＺ軸の各方向で同じ記号が１度ずつ現われるように配置された、次数ｎのラテン方体を作成する作成方法において、
　次数(n) の設定と、前記記号(m) の順列および該順列に従った選択順の設定を、前記ラテン方体記憶用配列(12)に対する既存のラテン方体の設定により達成し、
　前記ラテン方体記憶用配列(12)のＸ軸(I) およびＹ軸(J) およびＺ軸(K) の最後の位置(Annn ) から、前記Ｘ軸(I) およびＹ軸(J) およびＺ軸(K) に沿って、既存の配列要素(EIJK ) の記号(m) よりも選択順が下位である記号(m)を選択できる位置(AIJK ) まで順に戻り、該位置(AIJK ) から前記Ｘ軸(I) あるいはＹ軸(J) あるいはＺ軸(K) に沿って前記最後の位置(Annn ) まで、各位置(AIJK ) 毎に同一Ｘ軸(I) およびＹ軸  (J) およびＺ軸(K) の前の位置(AIJK )の既に決定されている配列要素(EIJK ) と同一記号(m) とならないように、順に配列要素(EIJK ) の記号(m) を選択決定するラテン方体の作成方法
　
　また、原査定の拒絶の理由で引用された特開平２００１−６７３３９号公報（以下、引用文献２」という。）には、以下の事項が図面と共に記載されている。
　
 Ｄ． 「【０００１】
【発明が属する技術分野】本発明は、暗号通信に使用される変換表とか、実験計画法、統計学における同一性を持たない組合せの設定等に利用されるラテン方陣の作成方法に関するものである。
【０００２】
【従来の技術】本発明の説明のために、ラテン方陣の基本的性質を説明する。ｎ個の記号から成る集合Ａ＝｛ａ1 ，・・・，ａn ｝の各元をｎ回ずつ使って、合計ｎ2 個のｎ行ｎ列の正方形に配列し、各行各列において、Ａの各元が１度づつ現れるものをＡ上のラテン方陣、あるいはｎ次ラテン方陣と云う。」
　
 Ｅ．「 【０００８】
【発明が解決しようとする課題】しかしながら、上記した特願平８−２６０００６号に示された手法は、既知のラテン方陣における各位置の配列要素の記号を最終の位置から順に変換して、新たなラテン方陣を規則的に求めるものであるが、ラテン方陣を秘密にしておく必要のある暗号通信の鍵として使用する場合、使用済みのラテン方陣を元にして規則的に使用中の鍵としてのラテン方陣を推測されてしまう可能性が大きい、と云う問題があった。
・・・・・・・・・・・・・・・・・・・・・・・・・・・・・・・・・
【００１１】そこで、本発明は、上記した従来技術における問題点を解消すべく創案されたもので、上記した手法を用いて、元のラテン方陣から各配列要素が充分に変化した新たなラテン方陣を作成することを技術的課題とし、もって元のラテン方陣から推測の殆ど不可能な新たなラテン方陣の規則的な作成を可能をし、ラテン方陣を安全にかつ簡単に利用できるようにすることを目的とする。」
　
Ｆ．「【００２２】
【発明の実施の形態】以下、本発明の実施例を、図１ないし図５を参照しながら説明する。なお、以下の説明においては、説明の便宜上、次数ｎを４とし、記号ｍは自然数（０，１，２，３）とし、その順列および選択順は自然順列の通りとする。
【００２３】図１は、本発明方法を実施するために構成されたコンピュータの電気回路ブロック構成を示すもので、演算部１とラテン方陣作成部２とから構成され、演算部１は、ソフトウエア的に演算処理を実行する他に、次数ｎ、記号ｍ、記号ｍの順列と選択順、最初に配列要素ＥIJの値を選択決定する位置ＡIJ、配列要素ＥIJを選択決定する順序、そして既存のラテン方陣Ｒ’のそれぞれを設定し、予め定められた制御プログラムに従って制御信号を出力する。
【００２４】ラテン方陣作成部２は、与えられたラテン方陣の各位置ＫIJの配列要素ＥIJとしての記号ｍを規則的に順に変換して新しいラテン方陣を作成する変換機能部３と、与えられたラテン方陣の各位置ＫIJの配列要素ＥIJとしての記号ｍを、行Ｉまたはおよび列Ｊ単位で入れ替えて別のラテン方陣に変形させる入れ替え機能部４との組合せで構成されている。
・・・・・・・・・・・・・・・・・・・・・・・・・・・
【００２６】入れ替え機能部４は、演算部１で設定された、入れ替える行およびその順序を予め記憶しておく行入れ替え記憶部１３と、同じく演算部１で設定された、入れ替える列およびその順序を予め記憶しておく列入れ替え記憶部１４と、演算部１により行入れ替え記憶部１３に記憶された設定に従って与えられたラテン方陣の行Ｉの入れ替えを行う入れ替え用行位置指定用記憶部１５と、演算部１により列入れ替え記憶部１４に記憶された設定に従って与えられたラテン方陣の列Ｊの入れ替えを行う入れ替え用列位置指定用記憶部１６と、与えられたラテン方陣および新しいラテン方陣に対応して、配列要素ＥIJを位置させる位置ＫIJを、２次元に配列した位置設定で設定記憶するラテン方陣入れ替え用配列１７と、入れ替える配列要素ＥIJを記憶する第１入れ替え用データ記憶部１８および第２入れ替え用データ記憶部１９とから構成されている。」
　
Ｇ．「【００２７】図２は、請求項２記載の発明の実施例のフローチャートの一例を示すもので、ステップＳ１でコンピュータを稼働させてから、ステップＳ２で、変換機能部３のラテン方陣記憶用配列１２に、演算部１に予め記憶してある既存のラテン方陣Ｒ’の情報を記憶設定させ、ステップＳ３で、入れ替え機能部４の行入れ替え記憶部１３に、演算部１に予め記憶してある行入れ替え情報を記憶設定し、同じく入れ替え機能部４の列入れ替え記憶部１４に、演算部１に予め記憶してある列入れ替え情報を記憶設定して、設定処理を完了する。
【００２８】ステップＳ３におけるｒｏｗ（１）〜ｒｏｗ（ｎ）は、行入れ替え記憶部１３で、１〜ｎ行の行入れ替え情報を示し、データは１〜ｎの指定した入れ替え先の値であり、またｃｏｌｕｍｎ（１）〜ｃｏｌｕｍｎ（ｎ）は、列入れ替え情報を示し、データは１〜ｎの指定した入れ替え先の値である。
【００２９】例えば、行Ｉの入れ替えは、行入れ替え記憶部１３に、各々の入れ替え先の値を、
ｒｏｗ（１）←２
ｒｏｗ（２）←１
ｒｏｗ（３）←３
ｒｏｗ（４）←４
と設定する。」
　
Ｈ．「【００３７】ステップＳ５である、入れ替え機能部４での中間ラテン方陣Ｒ”から新たなラテン方陣Ｒへの入れ替え作成処理は、変換機能部３で変換作成した中間ラテン方陣Ｒ”を入れ替え機能部４に移し換えた後で、設定された行Ｉの入れ替え（図４の（ａ）の場合、行１と行２との入れ替え）と、設定された列Ｊの入れ替え（図４の（ｂ）の場合、列１と列２との入れ替え）とを順に行って、図４の（ｃ）を得ることにより達成する。
【００３８】このステップＳ５の処理について、以下に示す。行の入れ替え。２行目の行Ｉの値を１行目に入れ替える処理ラテン方陣入れ替え用配列１７の２行目のデータを、第１入れ替え用データ記憶部１８に格納するために、次の一連の処理を行う。
【００３９】入れ替え用行位置指定用記憶部１５を２行目に設定し、入れ替え用列位置指定用記憶部１６を１列目に設定して、２行目の１列目のラテン方陣入れ替え用配列１７のデータＥ（２，１）を、第１入れ替え用データ記憶部１８の１つ目に格納する。
【００４０】次いで、入れ替え用列位置指定用記憶部１６を２列目に設定し、２行目の２列目のラテン方陣入れ替え用配列１７のデータＥ（２，２）を、第１入れ替え用データ記憶部１８の２つ目に格納する。以下、同様に２行目の４列目迄行う。
【００４１】次に、１行目のデータを第２入れ替え用データ記憶部１９に格納するために、次の一連の処理を行う。
【００４２】入れ替え用行位置指定用記憶部１５を１行目に設定し、入れ替え用列位置指定用記憶部１６を１列目に設定して、１行目の１列目のラテン方陣入れ替え用配列１７のデータＥ（１，１）を、第２入れ替え用データ記憶部１９の１つ目に格納する。
【００４３】次いで、入れ替え用列位置指定用記憶部１６を２列目に設定し、１行目の２列目のラテン方陣入れ替え用配列１７のデータＥ（１，２）を、第２入れ替え用データ記憶部１９の２つ目に格納する。以下、同様に１行目の４列目迄行う。
【００４４】次に、第１入れ替え用データ記憶部１８のデータを、行入れ替え記憶部１３の場所ｒｏｗ（２）の値１に従って、ラテン方陣入れ替え用配列１７の１行目に格納するために、次の一連の処理を行う。
【００４５】入れ替え用行位置指定用記憶部１５を１行目に設定し、入れ替え用列位置指定用記憶部１６を１列目に設定して、第１入れ替え用データ記憶部１８の１つ目のデータをラテン方陣入れ替え用配列１７の１行目の１列目Ｅ（１，１）に格納する。
【００４６】次いで、入れ替え用列位置指定用記憶部１６を２列目に設定し、第１入れ替え用データ記憶部１８の２つ目のデータをラテン方陣入れ替え用配列１７の１行目の２列目Ｅ（１，２）に格納する。以下、同様に１行目の４列目迄行う。
【００４７】次に、第２入れ替え用データ記憶部１９のデータを、行入れ替え記憶部１４の場所ｒｏｗ（１）の値２に従って、ラテン方陣入れ替え用配列１７の２行目に格納するために、次の一連の処理を行う。
【００４８】入れ替え用行位置指定用記憶部１５を２行目に設定し、入れ替え用列位置指定用記憶部１６を１列目に設定して、第２入れ替え用データ記憶部１９の１つ目のデータをラテン方陣入れ替え用配列１７の２行目の１列目Ｅ（２，１）に格納する。
【００４９】次いで、入れ替え用列位置指定用記憶部１６を２列目に設定し、第１入れ替え用データ記憶部１８の２つ目のデータをラテン方陣入れ替え用配列１７の２行目の２列目Ｅ（２，２）に格納する。以下、同様に２行目の４列目迄行い、行の入れ替えが完了する。」
　
　以上の記載から、引用文献２には、既知のラテン方陣から行単位又は列単位に各要素を入れ替えることにより新たなラテン方陣を作成する方法として次の発明（以下、「引用発明２」という。）が記載されている。
　
　行及び列方向にそれぞれｎ個の計ｎ２個の要素を持つ正方形の各要素に、互いに異なるｎ個の記号が行及び列方向で同じ記号が１度ずつ現れるように配置された、次数ｎのラテン方陣を作成する作成方法において、
　入れ替えが行われるべき既知のｎ次ラテン方陣をラテン方陣入れ替え用配列に格納するステップと、
　行単位で入れ替えを行うための行入れ替え情報又は列単位で入れ替えを行うための列入れ替え情報を行入れ替え記憶部又は列入れ替え記憶部に記憶するステップと、
　前記行入れ替え情報又は前記列入れ替え情報を用いて前記ラテン方陣入れ替え用配列に格納されている既知のｎ次ラテン方陣のすべての要素を入れ替えるステップと
を含むラテン方陣の作成方法
　
（３）対比
　本願発明と引用発明１とを対比すると、
　引用発明１の「次数ｎのラテン方体」「ラテン方体記憶用配列」は、それぞれ、本願発明の「次数ｎのラテン方体」「記憶用配列」に相当し、引用発明１と本願発明とは、互いに異なる記号を３次元に配置した次数ｎの既存のラテン方体から新たなラテン方体を作成する作成方法である点で共通している。
　引用発明１の「次数(n) の設定と、前記記号(m) の順列および該順列に従った選択順の設定を、前記ラテン方体記憶用配列(12)に対する既存のラテン方体の設定により達成」する点は、本願発明の第１のステップのうち、前記次数ｎ分の記号を順列及び該順列に従った選択順を定めて設定すると共に、所望の既存のｎ次のラテン方体を記憶用配列に設定する点に相当する。
　既存のラテン方体から新しいラテン方体を作成する手法が、引用発明１では最後の位置から既存の配列要素の記号よりも下位である記号を選択できる位置まで戻り、選択決定をやり直すものであるのに対し、本願発明では変換基準面上の要素の記号を入れ替え情報によって面毎に入れ替えるものであり、両者は手法に違いはあるものの、既存のｎ次のラテン方体の要素を入れ替えて新たなｎ次のラテン方体を作成する手法である点で共通している。
　
  よって、本願発明と引用発明１とは、
　
　Ｘ軸（縦）方向、Ｙ軸（横）方向及びＺ軸（奥行き）方向にそれぞれｎ個ずつ計ｎ3個の要素を持つ立方体の各要素に、互いに異なるｎ個の記号が前記Ｘ軸、Ｙ軸及びＺ軸の各方向で同じ記号が１度ずつ現われるように配置された、次数ｎのラテン方体を作成する作成方法において、
　前記次数ｎ分の記号を順列及び該順列に従った選択順を定めて設定すると共に、所望の既存のｎ次のラテン方体を記憶用配列に設定するステップと、
　前記既存のｎ次のラテン方体の要素を入れ替えて前記新たなｎ次のラテン方体を作成するステップとを含むことを特徴とするラテン方体の作成方法
　
である点で一致し、次の点で相違する。
　
相違点
　既存のｎ次のラテン方体のすべての要素を入れ替えて前記新たなｎ次のラテン方体を作成するステップが、引用発明１では、最後の位置から、既存の配列要素の記号よりも下位である記号を選択できる位置まで戻り、選択決定をやり直すものであるのに対し、本願発明では変換基準面上の要素を入れ替え情報によって面毎に入れ替えるものであり、具体的には、
　（ア）前記Ｙ軸とＺ軸に沿った前記Ｘ軸方向の面、前記Ｚ軸とＸ軸に沿った前記Ｙ軸方向の面、及び前記Ｘ軸とＹ軸に沿った前記Ｚ軸方向の面のいずれか一つの面を変換基準面として定めて設定するステップと、
　（イ）前記変換基準面上の要素の位置の順番を入れ替える入替情報Ｐをｎ個の順番を示す値Ｐ（１）〜Ｐ（ｎ）として設定するステップと、
　（ウ）前記第２のステップで設定された入替情報Ｐによって、前記ラテン方体記憶用配列に格納されている既存のｎ次のラテン方体の各要素を、前記第１のステップで設定された選択順で、かつ、前記変換基準面上で選択し、選択した要素の記号を読み出し、面毎にｎ×ｎのすべての要素を入れ替えるステップと
　を含み、
　（エ）前記入れ替えるステップは、前記既存のｎ次のラテン方体の前記Ｘ軸の位置Ｉ、前記Ｙ軸の位置Ｊ及び前記Ｚ軸の位置Ｋにおける要素を、前記第１のステップで設定された選択順で、かつ、前記変換基準面上で選択した要素としたとき、その選択した要素の記号Ｒ’（Ｉ，Ｊ，Ｋ）を前記既存のｎ次のラテン方体から読み出し、その読み出した記号Ｒ’（Ｉ，Ｊ，Ｋ）を、作成する新たなｎ次ラテン方体のＸ軸の位置Ｐ（Ｉ）、Ｙ軸の位置Ｊ及びＺ軸の位置Ｋにおける要素Ｒ（Ｐ（Ｉ），Ｊ，Ｋ）、又は前記作成する新たなｎ次ラテン方体のＸ軸の位置Ｉ、Ｙ軸の位置Ｐ（Ｊ）及びＺ軸の位置Ｋにおける要素Ｒ（Ｉ，Ｐ（Ｊ），Ｋ）、又は前記作成する新たなｎ次ラテン方体のＸ軸の位置Ｉ、Ｙ軸の位置Ｊ及びＺ軸の位置Ｐ（Ｋ）における要素Ｒ（Ｉ，Ｊ，Ｐ（Ｋ））とするものである点
　
（４）相違点についての検討
　引用文献２の記載によれば、既知のラテン方陣から新たなラテン方陣を作成する場合、最終の位置から順に変換していく手法では規則性があり、ラテン方陣を推測されてしまう可能性があるという問題に対処して、引用発明２では、行単位又は列単位ですべての要素を入れ替えることにより既知のラテン方陣から新たなラテン方陣を作成している。従って、引用文献２の記載と同じ問題意識の元に、既存のｎ次のラテン方体の要素を入れ替えて前記新たなｎ次のラテン方体を作成するステップとして、引用発明１における手法に替えて、引用発明２における行単位又は列単位のすべての要素を入れ替える手法を検討することは通常の思考過程から自然に想到されることである。
　引用発明２は、２次元のラテン方陣に対するものであり、行単位又は列単位の入れ替えを行うものであるが、３次元のラテン方体は２次元のラテン方陣の拡張に過ぎず、２次元のラテン方陣のおいて行又は列を入れ替えたときにできる新たな配列がラテン方陣になることが知られている以上、３次元のラテン方体においても、行又は列の集合である面単位で入れ替えた配列が新たなラテン方体を形成することは自明のことである。また、引用発明２は行単位又は列単位で入れ替えるものであり、この場合の行方向又は列方向とは、正方形配列の置き換えるべき１次元の基準方向となるものであるから、３次元に拡張したときには立方体配列の入れ替えのために２次元の何らかの基準、つまり、変換基準面を設定し、この変換基準面に関して面単位に入れ替えることは容易に為し得ることである。更に、引用発明２では行単位又は列単位の入れ替えのための行入れ替え情報又は列入れ替え情報を有しており、本願発明の入替情報Ｐはこれを単に面単位の入れ替え情報としたものにすぎない。
　以上のとおり、面同士の入れ替えを行うための具体的構成である（ア）−（エ）の事項も２次元配列の行単位又は列単位の入れ替えを３次元配列に拡張したときに容易に想到されることである。
　
　そして、本願発明の構成によってもたらされる効果も、引用例記載の発明から当業者ならば容易に予測することができる程度のものであって、格別のものとはいえない。
　
（５）むすび
　したがって、本願発明は、引用文献１、２に記載された発明および当該分野の技術常識に基づいて、当業者が容易に発明をすることができたものであるから、特許法第２９条第２項の規定により特許を受けることができない。
　よって、結論のとおり審決する。